(57)【要約】【課題】細かい模様を表現することができる織物を提供する。【解決手段】経糸１１と緯糸１２とからなる織物１０において、経糸１１が、太さ２０〜１００デニールで、織密度３０〜１８０本／ｃｍで織成され、緯糸１２が、太さ３０〜１５０デニールで、織密度５０〜１２０本／ｃｍで織成されている。【選択図】図１
0003132067.tif 000002
【実用新案登録請求の範囲】
【請求項１】
経糸と緯糸とからなる織物において、
前記経糸が、太さ２０〜１００デニールで、織密度３０〜１８０本／ｃｍで織成され、
前記緯糸が、太さ３０〜１５０デニールで、織密度５０〜１２０本／ｃｍで織成されていることを特徴とする織物。
【請求項２】
前記緯糸に、色彩の異なる複数種類の糸を用いて織成されていることを特徴とする請求項１に記載の織物。
【請求項３】
前記経糸と前記緯糸により、電子機器にて読み取り可能なＱＲコードの模様を織り込んだことを特徴とする請求項２に記載の織物。
【考案の詳細な説明】
【技術分野】
【０００１】
この考案は、織物に関するものである。
【背景技術】
【０００２】
従来から、経糸と緯糸とを編成して織物とする織成方法としては、レピア織機、エアー織機、シャトル織機、ニードル織機、ドビー織機などの織機を用いたものが知られている。これらの織機を用いて、織ネーム、マーク、ワッペン、テープなどの商品、表生地、裏生地などの和洋生地、帯、レースなどの各種織物が生産されている。
【０００３】
上述の各種織物のように、経糸と緯糸を複数種類の組織パターンを利用して織り方を変えて、種々の地模様の織り込んだものが知られている。さらに、上述の織機を用いて、織成する織物において、経糸と緯糸とを色彩の異なる模様経糸を用いて表面に絣様の文様を形成し、織り方によって表面に表したり、表れないようにするものが知られている（例えば、特許文献１参照）。
【特許文献１】特開２００３−２９３２４６号公報
【考案の開示】
【考案が解決しようとする課題】
【０００４】
ところで、上述の特許文献１の織物は、色の異なる糸を用いて模様を表現することができるが、糸の太さや織密度に限界があり、細かな模様を表現することができないという問題があった。
【０００５】
そこで、この考案は、上述の事情を鑑みてなされたものであり、細かい模様を表現することができる織物を提供するものである。
【課題を解決するための手段】
【０００６】
上記の課題を解決するために、請求項１に記載した考案は、経糸と緯糸とからなる織物において、前記経糸が、太さ２０〜１００デニールで、織密度３０〜１８０本／ｃｍで織成され、前記緯糸が、太さ３０〜１５０デニールで、織密度５０〜１２０本／ｃｍで織成されていることを特徴とする。
【０００７】
請求項２に記載した考案は、前記緯糸に、色彩の異なる複数種類の糸を用いて織成されていることを特徴とする。
【０００８】
請求項３に記載した考案は、前記経糸と前記緯糸により、電子機器にて読み取り可能なＱＲコードの模様を織り込んだことを特徴とする。
【考案の効果】
【０００９】
請求項１に記載した考案によれば、従来よりも細い糸で、かつ高織密度で織成することができるため、経糸と緯糸をより多く織り込むことができる効果がある。
【００１０】
請求項２に記載した考案によれば、色彩の異なる糸をより多く織り込むことができるため、織物の表面に細かい模様を表現することができる効果がある。
【００１１】
請求項３に記載した考案によれば、ＱＲコードを織物として表現することができるため、ＱＲコードをより有効に活用することができる効果がある。
【考案を実施するための最良の形態】
【００１２】
次に、この考案の実施形態を図１〜図３に基づいて説明する。
図１、図２に示すように、本実施形態の織物１０は、図示しないジャガード織レピア（エアー）織機で織成されたものである。織物１０は、経糸１１と緯糸１２とで構成されている。経糸１１の材質は、無染色（白色）のポリエステルブライダルであり、その太さは５０デニールのものが採用されている。一方、緯糸１２の材質は、ポリエステルカチオンであり、その太さは３０デニールのものが採用されている。ここで、緯糸１２には、白色の糸１２ａと黒色の糸１２ｂの２種類の色彩のものを用いている。
なお、経糸１１の太さは、２０〜１００デニールであればよく、緯糸１２の太さは、３０〜１５０デニールであればよい。
【００１３】
織物１０は、緯糸１２の白色糸１２ａと黒色糸１２ｂとで織柄が織られている。この織柄のパターニングは、織機に接続されているコンピュータに予め入力しておくか、パンチングカードなどを用いて所定のパターンに織ることができるように構成されている。
【００１４】
そして、織物１０の織柄として、ＱＲコード１５が表現されている。ＱＲコード１５は、緯糸１２の白色糸１２ａを下地部分になるようにし、黒色糸１２ｂがコード部分になるように織られている。
【００１５】
このように、ＱＲコード１５を織物により表現する場合には、従来の太い糸を用いて織成しても、パターンがシャープにならず、携帯電話などの電子機器にて認識すること（読み取ること）ができなかった。
【００１６】
ここで、本実施形態では、上述の糸の太さの経糸１１および緯糸１２を用い、さらに、経糸１１の織密度を８５本／ｃｍとし、緯糸１２の織密度を１００本／ｃｍとした。なお、経糸１１の撚り数としては、７５０回／２４〜４８フィラメント程度とし、緯糸１２の撚り数としては、１２０回／２４〜４８フィラメント程度とした。
なお、経糸１１の織密度は、３０〜１８０本／ｃｍであればよく、緯糸１２の織密度は、織密度５０〜１２０本／ｃｍであればよい。
【００１７】
このように細い糸を高密度に構成して織成することで、ＱＲコード１５の各コードを表現するパターン（模様）を織ることができる。また、糸の撚り数が少ないと織っているうちに糸が膨れたり、毛羽立ったりしてパターンがはっきりせず、ＱＲコード１５などの細かいパターンが表現できないが、上述の糸を用いることで、その問題も解消される。
【００１８】
図３に示すように、織機により上述のＱＲコード１５を表現した織物１０は、連続的に形成することが可能であり、ＱＲコード１５を織物の必要な箇所に自由に織成することができる。
【００１９】
したがって、上述の実施形態によれば、経糸１１と緯糸１２とからなる織物１０において、経糸１１が、太さ５０デニールで、織密度８５本／ｃｍで織成され、緯糸１２が、太さ３０デニールで、織密度１００本／ｃｍで織成したため、従来よりも細い糸で、かつ高織密度で織成することができ、したがって、経糸１１と緯糸１２をより多く織り込むことができる。
【００２０】
また、緯糸１２に、色彩の異なる白色糸１２ａと黒色糸１２ｂとを用いて織成したため、２色の糸をより多く織り込むことができ、したがって、織物１０の表面に細かい模様を表現することができる。
【００２１】
また、経糸１１と緯糸１２により、電子機器にて読み取り可能なＱＲコード１５の模様を織り込んだため、ＱＲコード１５を織物として表現することができ、したがって、ＱＲコード１５をより有効に活用することができる。
【００２２】
また、上述のように構成することで、最小１２ｍｍ角サイズのＱＲコード１５を織物で表現することができる。また、そのＱＲコード１５を携帯電話などのバーコードリーダで読み取ることができる。
【００２３】
さらに、従来の織ネーム、織ワッペン、織テープなどにＱＲコード１５を織り込むことにより、その織ネーム、織ワッペン、織テープを発注した企業のホームページに容易にアクセスすることができる。また、ＱＲコード１５により、その製品の管理なども容易にすることができる。
【００２４】
そして、名前、メールアドレス、ＵＲＬ、連番などを一括して雛形にＱＲコードとして展開することができるソフトを利用して、低価格で小ロットのオリジナル織ネーム、織ワッペン、織テープなどを製造することができる。
【００２５】
なお、本考案の技術範囲は上述の実施形態に限定されるものではなく、本考案の趣旨を逸脱しない範囲において、種々の変更を加えることが可能であり、実施形態で挙げた具体的な材料や構成などはほんの一例に過ぎず、適宜変更が可能である。
例えば、経糸および緯糸を構成する糸の材質は、織機により織成できるものであれば、特に拘らない。
また、本実施形態においては、白色の糸と黒色の糸を用いてＱＲコードを織成するような場合の説明をしたが、糸の色は電子機器で読み取り可能な配色の糸であればよい。
【図面の簡単な説明】
【００２６】
【図１】本考案の実施形態における織物の一部示す斜視図である。
【図２】本考案の実施形態における織物の要部拡大図である。
【図３】本考案の実施形態における織物を示す斜視図である。
【符号の説明】
【００２７】
１０…織物  １１…経糸  １２…緯糸  １５…ＱＲコード
【図１】
0003132067.tif 000003
【図２】
0003132067.tif 000004
【図３】
0003132067.tif 000005